(57)【要約】      （修正有）【課題】広い収納スペースを確保しつつ、椅子として使用でき、使用時及び折りたたみ時の外観が美しい、座れる折りたたみ式収納ボックス椅子を提供する。【解決手段】側壁部を硬質の材料を用いて強度を保ち、折り曲げる箇所を可撓性のある素材で外面を包覆し、折りたためるようにする。また、底面２０には、可撓性のある軟性の素材を用い、さらに開いた状態で安定させるために取手付きの底板を敷き、上部に蓋３０を付けて椅子として使用できる構造とする。さらに、椅子として使用する際、側壁部に折り目が入らないようにするため、底面をファスナーで開閉し、扁平状に折りたたむことができる構造とする。【選択図】図２
0003168608.tif 000002
【実用新案登録請求の範囲】
【請求項１】
側壁部を硬質の材料を用いて強度を保ち、折り曲げる箇所を可撓性のある素材で外面を包覆し、折りたためるようにし、底面に関しては、可撓性のある軟性の素材を用い、さらに開いた状態で安定させるために底板を敷き、上部にボックス部と同様折りたためる構造にした蓋を付けたことを特徴とする座れる折りたたみ式収納ボックス。
【請求項２】
椅子として使用する際、側壁部に折り目が入らないようにするため、底面をファスナーで開閉し、折りたためる構造にした請求項１記載の座れる折りたたみ式収納ボックス。
【考案の詳細な説明】
【技術分野】
【０００１】本考案は座れる折りたたみ収納ボックスに関するものである。
【背景技術】
【０００２】従来、収納付きの椅子としては、例えば図９から図１０に示すようなものがあった。
椅子としての強度を保ちつつ十分なスペースを確保するためフレームを主に木材や金属で構成することが多く、生産コストが高くなるという欠点があった。【０００３】また、折りたたみできる椅子としては特開２０１０−２５９７５９にあるように折りたたんだ際に凸凹する箇所が生じ、積み重ねて梱包した場合、椅子同士がぶつかり、流通段階で傷が付きやすいという欠点があった。【０００４】これらの欠点を解消するため、衣料品の梱包によく用いられる紙袋の構造（図１１）を利用して図１２から図１５に示す構造を開発した。これは側壁部を硬質の材料を用いて強度を保ち、折り曲げる箇所を可撓性のある素材で外面を包覆し、折りたためるようにしたものである。そして、開いた状態で安定させるために、紙袋の構造と同様底板を敷き、椅子をして使用できるように蓋を付けた。しかしこの構造の場合、側面の四面中、二面に折り目が入ることになり、折り目部分に対しての横からの強度が弱いとともに外観上好ましくない。
【先行技術文献】
【０００５】
【特許文献１】特開２０１０−２５９７５９（Ｐ２０１０−２５９７５９Ａ）
【考案の概要】
【考案が解決しようとする課題】
【０００６】本考案が解決しようとする課題は広い収納スペースを確保しつつ、椅子として使用できる上部からの強度はもちろん側面４面に対する強度にも優れており、使用時及び折りたたみ時の外観が美しい椅子を提供することにある。
【課題を解決するための手段】
【０００７】側壁部を硬質の材料を用いて強度を保ち、折り曲げる箇所を可撓性のある素材で外面を包覆し、折りたためるようにし、底面に関しては、可撓性のある軟性の素材を用い、さらに開いた状態で安定させるために底板を敷き、上部に蓋を付けて座れるようにした。もちろん、蓋の部分はボックス部と同様折りたためる構造にし、さらにクッション材を入れるなどして、ほどよい堅さに調整する。【０００８】側壁部に折り目が入らないようにするため、側面に折り目を付けてたたむのではなく、図３、図４のように底面をファスナーで開閉し、折りたためる構造にした。【０００９】底板に取手を付けることにより着脱を容易に行える構造にした。
【考案の効果】
【００１０】  以上の構造にすることで、図２のようにボックス内に広いスペースを確保することができ、椅子としての強度が高いため、椅子としても、ボックスとしても十分な機能を発揮できるため、実用性が高い。【００１１】また、コンパクトな扁平状に折りたたむことができることにより、収納流通段階で傷が付くことを軽減できるとともに、倉庫や店内等で保管する際に無駄なスペースをあまり作ることなく保管ができる。
【考案を実施するための形態】
【００１２】本考案を実施するための最良の形態を図１から図８に基づいて説明する。まず、図２のボックス部分について側壁部を硬質の材料を用いて強度を保ち、折り曲げる箇所を可撓性のある素材で外面を包覆し、図７から図８のように曲がるようにする。
【００１３】底面に関しては、可撓性のある軟性の素材を用いる。なお、全体を完全に塞いでしまうと折りたたむことができなくなるため、図３から図６にあるようにファスナー使い底面を開き折りたためるようにする。
【００１４】椅子として使用する際にボックスがきちんと開いた状態で安定するために図２のように底板を敷き、上部に蓋を付けて図１の状態で座れるようにする。
【実施例】
【００１５】実施例を図１から図８に基づいて説明する。図２にあるように部材としては蓋と中板とボックスの三つを使用する。椅子として使用する場合は、ボックスを開き、裏面を図３のようにファスナーが閉まった状態にする。次に底板をボックスの底面に置入れて、側壁部を支えるようにする。最後に座面となる蓋を被せて図１の状態にして座る。【００１６】なお、蓋を被せる前に中に様々な物を入れて収納して、蓋を被せた場合、蓋付きの収納箱として使用できる。この状態で椅子としても当然使用できる。【００１７】また、椅子や収納ボックスとして使用せずに折りたたんで収納する場合、まず、椅子から蓋と中板を外し、図３のようにボックスを裏返しにする。そして図４のようにファスナーを開けて、図５から図８の順番で折りたたむ。
【産業上の利用可能性】
【００１８】側面に折り目がないため、柄や模様を施しやすく、幅広いデザインの椅子を生産することができる。【００１９】コンパクトな扁平状に折りたたむことができることにより、収納流通段階で傷が付くことを軽減できるとともに、倉庫や店内等で保管する際に無駄なスペースをあまり作ることなく保管ができる。
【図面の簡単な説明】
【００２０】
【図１】本考案の一例を示すボックス、底板、蓋を組み合わせた立体図である。
【図２】本考案の一例を示すボックス、底板、蓋を分離した立体図である。
【図３】本考案の一例を示すボックスの底面の立体図で、ファスナーを閉めた状態である。
【図４】本考案の一例を示すボックスの底面の立体図で、ファスナーを開いた状態である。
【図５】本考案の一例を示すボックスについて彎折時の立体図である。
【図６】本考案の一例を示すボックスについて彎折時の立体図である。図５よりさらに閉じた状態である。
【図７】本考案の一例を示すボックスについて彎折時の立体図である。図６よりさらに閉じた状態である。
【図８】本考案の一例を示すボックスについて折りたたんだ状態の立体図である。
【図９】収納付椅子の例として示した椅子について座面である蓋を閉じた状態の立体図である。
【図１０】収納付椅子の例として示した椅子について座面である蓋を開いた状態の立体図である。
【図１１】紙袋の構造の例として示した立体図である。
【図１２】座れる折りたたみ収納ボックスのボックス部分の構造の例として示した立体図である。
【図１３】座れる折りたたみ収納ボックスの例として、彎折時の立体図である。
【図１４】座れる折りたたみ収納ボックスの例として、折りたたみ時の立体図である。
【図１５】座れる折りたたみ収納ボックスの例として、底板、蓋を分離した立体図である。
【符号の説明】
【００２１】１０  ボックス
１１  側壁部
１２  折り目
１３  ファスナー
２０  底板
３０  蓋
４０  収納付き椅子
４１  座面板
４２  収納スペース
【図１】
0003168608.tif 000003
【図２】
0003168608.tif 000004
【図３】
0003168608.tif 000005
【図４】
0003168608.tif 000006
【図５】
0003168608.tif 000007
【図６】
0003168608.tif 000008
【図７】
0003168608.tif 000009
【図８】
0003168608.tif 000010
【図９】
0003168608.tif 000011
【図１０】
0003168608.tif 000012
【図１１】
0003168608.tif 000013
【図１２】
0003168608.tif 000014
【図１３】
0003168608.tif 000015
【図１４】
0003168608.tif 000016
【図１５】
0003168608.tif 000017
【手続補正書】
【提出日】平成23年3月22日(2011.3.22)
【手続補正１】
【補正対象書類名】実用新案登録請求の範囲
【補正対象項目名】全文
【補正方法】変更
【補正の内容】
【実用新案登録請求の範囲】
【請求項１】
可撓性のある軟性の素材を用いた底面を有し、その底面は開口部を有することを特徴とし、
底面四辺からそれぞれ上方に硬質の材料を用いた側壁を延伸し、
相隣する側壁間を折り曲げることができるようにし、側壁外面及び側壁内面を可撓性のある素材で包覆したボックス部と、
このボックス部底面に対応する大きさの底板と、
このボックスに座面となる蓋を備えた、
座れる折りたたみ式収納ボックス。
【請求項２】
椅子として使用する際、側壁部に折り目が入らないようにするため、底面をファスナーで開閉し、折りたためる構造にした請求項１記載の座れる折りたたみ式収納ボックス。